(57)【特許請求の範囲】
【請求項１】
前後方向に走行するウエブの幅方向に対してダイによって塗工液を塗工する塗工装置において、
前記ダイ内部には塗工液の液溜め部が幅方向に沿って設けられ、
前記液溜め部の左右両側壁を幅方向に沿ってそれぞれ移動可能に配し、
前記液溜め部の幅方向の大きさを変更可能になし、
前記液溜め部の断面形状が円形であり、
前記左右両側壁が円柱形であり、
前記左右両側壁の内側の壁は、円弧状に形成され、塗工液の吐出側ほど広がるような滑らかな形状となっている
ことを特徴とする塗工装置。
【請求項２】
前記塗工装置が、リップコータである
ことを特徴とする請求項１記載の塗工装置。
【請求項３】
前記ダイが、吐出型ダイである
ことを特徴とする請求項１記載の塗工装置。
【発明の詳細な説明】
【０００１】
【発明の属する技術分野】
本発明は、フィルム、布帛等のウエブに対し塗工液を塗工する塗工装置に関するものである。
【０００２】
【従来の技術】
ウエブＷに塗工液を塗工する塗工装置としては、図５に示すようなリップコータ型の塗工装置１００が知られている。
【０００３】
この塗工装置１００は、バックアップロール１１２によって前後方向に走行するウエブＷの下方にダイ１１４が配されている。ダイ１１４は、ヘッド本体１３０と、ヘッド本体１３０の後面に取り付けられる蓋体１３２とよりなる。そして、蓋体１３２の前面に凹部があり、ヘッド本体１３０と蓋体１３２とを組み合わせることにより塗工液の液溜め部１１６が形成される。そして、この液溜め部１１６から送液部１１８を通ってダイ１１４の上方に塗工液が吐出する。
【０００４】
このダイ１１４の上部には、円弧状のエッジ部１２０とバックプレート１２２とにより形成された塗工空間１２４が存在している。そして、前記した送液部１１８から吐出した塗工液は、円弧状のエッジ部１２０に沿って流れ、エッジ部１２０の上端部でバックアップロール１１２の下方を走行するウエブＷに塗工液が塗工される。
【０００５】
【発明が解決しようとする課題】
図６は、塗工装置１００の正面からみた縦断面図である。
【０００６】
この図に示すように、ダイ１１４の内部には液溜め部１１６が幅方向に設けられており、この液溜め部１１６よりも塗工液の幅を狭くして塗工する場合には、ダイ１１４の両側部に位置する送液部１１８にそれぞれ板状のシール材１２６，１２６をはめ込み、さらにバックアップロール１１２と、ダイ１１４の上面との間を閉塞するための左右一対の横壁１２８，１２８を取り付けている。
【０００７】
上記のような構造にすることによって、ウエブＷに塗工される塗工幅は、横壁１２８，１２８の間となり、それ以上広い部分については塗工液が塗工されない。
【０００８】
しかしながら、上記構成の塗工装置１００であると、左右一対のシール材１２６の位置が、液溜め部１１６の幅よりも狭い位置に設けられているため、液溜め部１１６の両側部分に塗工液が滞留する部分が生じる。
【０００９】
この滞留部分における塗工液は、流れないため変質したり、塗工液中の分散物が沈降したりするという問題点があった。
【００１０】
そして、この不良になった塗工液が塗工面に塗工されると、ウエブＷ自身も不良品となる問題点があった。
【００１１】
さらに、従来においてはこのような問題点を解決するために、液溜め部１１６の幅方向の大きさを変えた複数の蓋体１３２を準備していた。
【００１２】
しかし、このような構造にすると蓋体１３２を複数作る必要があると共に、蓋体１３２とヘッド本体１３０との組み合わせ精度が落ちるという問題点があった。
【００１３】
そこで、本発明は上記問題点に鑑み、ダイ内部の液溜め部において塗工液の滞留部分が存在しない塗工装置を提供するものである。
【００１４】
【課題を解決するための手段】
請求項１の発明は、前後方向に走行するウエブの幅方向に対してダイによって塗工液を塗工する塗工装置において、前記ダイ内部には塗工液の液溜め部が幅方向に沿って設けられ、前記液溜め部の左右両側壁を幅方向に沿ってそれぞれ移動可能に配し、前記液溜め部の幅方向の大きさを変更可能になし、前記液溜め部の断面形状が円形であり、前記左右両側壁が円柱形であり、前記左右両側壁の内側の壁は、円弧状に形成され、塗工液の吐出側ほど広がるような滑らかな形状となっていることを特徴とする塗工装置である。
【００１５】
請求項２の発明は、前記塗工装置が、リップコータであることを特徴とする請求項１記載の塗工装置である。
【００１６】
請求項３の発明は、前記ダイが、吐出型ダイであることを特徴とする請求項１記載の塗工装置である。
【００１７】
本発明の塗工装置であると、ダイ内部にある液溜め部の両側壁を幅方向に移動させることによって、ウエブの塗工幅に応じた液溜め部を形成することができるので、塗工液の滞留部分が形成されることがない。
【００１８】
【発明の実施の形態】
（第１の実施例）
本発明の第１の実施例の塗工装置１０について、図１〜図３に基づいて説明する。
【００１９】
リップコータ型の塗工装置１０は、バックアップロール１２の下方にコンマ型のエッジ部２０を有したダイ１４が配されている。そして、ダイ１４の上方には、エッジ部２０とバックプレート２２と、左右両側に位置する横壁２８，２８とによって形成された塗工空間２４が存在する。
【００２０】
また、ダイ１４は、ヘッド本体３０と蓋体３２とを組み合わせたものであり、その内部には左右両方向に貫通した断面円形の液溜め部３４が形成されている。そして、この液溜め部３４から、幅方向に設けられたスリット状の送液部１８を通って前記した塗工空間２４に塗工液を吐出する。
【００２１】
液溜め部３４内部には左右一対の両側壁３６，３８が設けられている。液溜め部３４が断面円形であるため、左右両側壁３６，３８は円柱形をなし、シリンダ型となっている。そして、左右両側壁３６，３８の内側の壁は、図１に示すように、円弧状に形成され、上部ほど上方に広がるような滑らかな形状となっている。そして、左右両側壁３６，３８と液溜め部３４の内周壁との間から塗工液が漏れないようにするためにＯリング４０，４２が設けられている。
【００２２】
左右両側壁３６，３８の外方の壁にはネジ部４４，４６が設けられ、ダイ１４の両側壁に設けられた固定板４８，５０にネジ部４４，４６がそれぞれ螺合し、左右両側壁３６，３８が液溜め部３４内部の塗工液の圧力によって移動しないように固定されている。
【００２３】
蓋体３２の中央部には塗工液を供給するための供給口５２が設けられている。
【００２４】
上記構成の塗工装置１０の塗工するまでの準備状態について説明する。
【００２５】
まず、塗工したいウエブＷの塗工幅に合わせて、左右両側壁３６，３８を移動させる。この場合には、ネジ部４４，４６を回転させて移動させる。この左右両側壁３６，３８の間の距離を塗工したいウエブＷの塗工幅に合わせる。
【００２６】
次に、その幅に合わせて、シール材２６，２６を送液部１８の間に差し込む。
【００２７】
次に、その幅に合わせて、バックアップロール１２とダイ１４の上面との間に一対の横壁２８，２８を取り付ける。
【００２８】
これによって、塗工したいウエブＷの塗工幅に合わせてそれぞれのシール部分を調整することができる。
【００２９】
そして、供給口５２から塗工液を供給してバックアップロール１２を回転させると必要な幅にのみ塗工液が塗工される。
【００３０】
この場合に液溜め部３４には塗工液が滞留する部分が存在しないため、従来のように塗工液が変質したりする問題点がない。また、蓋体３２は１つの種類を作ればよく、コストを削減することができる。
【００３１】
（第２の実施例）
上記実施例ではリップコータ型の塗工装置１０について説明したが、本発明はこれに限らず、図４に示すような吐出型ダイ５６を有する塗工装置６０でもよい。
【００３２】
すなわち、バックアップロール５４によって搬送されるウエブＷの下面に、ダイ５６の上端部にある吐出口５８から塗工液を吐出して塗工する。
【００３３】
この場合には、ダイ５６の内部に断面円形の液溜め部６２が設けられ、液溜め部６２から送液部６４を通って吐出口５８から塗工液が塗工される。そして、液溜め部６２内部に、第１の実施例と同様に円柱型の左側壁３６と右側壁３８を設けておき、ウエブＷの塗工幅に応じて左右両側壁３６，３８を移動させる。
【００３４】
この構造であっても、液溜め部６２内部に塗工液の滞留部分が存在しない。
【００３５】
【発明の効果】
以上により本発明の塗工装置であると、液溜め部の幅方向の大きさをウエブＷの塗工幅に応じて変化させることができるので、塗工液の滞留部分が存在することがなく、塗工液の変質等を起こすことがない。
【図面の簡単な説明】
【図１】第１の実施例の塗工装置の横断面図である。
【図２】同じく塗工装置の縦断面図である。
【図３】第１の実施例塗工装置の縦断面図である。
【図４】第２の実施例の塗工装置の縦断面図である。
【図５】従来の塗工装置の側面からの横断面図である。
【図６】従来の塗工装置の正面からの横断面図である。
【符号の説明】
１０  塗工装置
１４  ダイ
３４  液溜め部
３６  左側壁
３８  右側壁
【図１】
0003546258.tif 000002
【図２】
0003546258.tif 000003
【図３】
0003546258.tif 000004
【図４】
0003546258.tif 000005
【図５】
0003546258.tif 000006
【図６】
0003546258.tif 000007